(57)【要約】【解決課題】脚端に装着される装着体に対して首振り自由に取付けられる接地部材を容易且つ迅速的確に組付けられるようにすること。【解決手段】脚端の空所（３ａ）に嵌合装着される装着体（１）は縦の切り割り（４）によって分割される複数の分割片（１ａ，１ａ）から構成し、その下端に下向きに開口（１１）する球腔状の連結凹部（５）を備える。他方、接地部材（２）は床面に当接する接地台（１６）から頚部（１７）を介して球形状の連結球体（１８）を一体に備えて、該連結球体（１８）を前記連結凹部（５）に前記分割片（１ａ，１ａ）の分割時に嵌め入れ回転自由に連結する。その後、前記連結球体（１８）を嵌合連結した前記装着体（１）を前記脚端の空所（３ａ）に押込み嵌め付けて装着し、該連結球体を支点に接地部材を首振り自由に取付ける。【選択図】        図２
2004166890.tif 000002
【特許請求の範囲】
【請求項１】
脚端の空所に嵌合装着される装着体と、この装着体の下端に連結される接地体とからなり、前記装着体は縦の切り割りによって分割される複数の分割片から構成すると共に内部に下端に開口する球腔状の連結凹部を備え、他方前記接地体は床面に当接する接地台とこの接地台の上面に頚部を介して起立する球形状の連結球体とを有し、該連結球体を前記装着体の分割片を分解した状態において前記連結凹部に収め回転自由に連結組合せる一方、前記装着体を前記脚端の空所に嵌め込み装着することを特徴とした脚用接地部材。
【請求項２】
請求項１の記載において、装着体を構成する複数の分割片は上端部を屈曲自由な連結片によって互いに連結することを特徴とした脚用接地部材。
【請求項３】
請求項１の記載において、装着体は縦の中心線に沿う１つの切り割りによって分割される２つの分割片の集合体からなることを特徴とした脚用接地部材。
【請求項４】
請求項３の記載において、装着体を構成する２つの分割片は対称形であることを特徴とした脚用接地部材。
【請求項５】
請求項３又は４の記載において、装着体を構成する２つの分割片は相互の切り割り面を向い合せにした状態で上端部相互を肉薄の連結片で接続し、該連結片を支点に両分割片を開放自由にすると共に、開放時に連結凹部に接地体の連結球体を収めることを特徴とした脚用接地部材。
【請求項６】
請求項１又は５の記載において、装着体には外周面に脚端の空所内壁面に圧接する抜止め用の圧接片を設けてなることを特徴とした脚用接地部材。
【発明の詳細な説明】
【０００１】
【産業上の利用分野】
本発明は、椅子や机、テーブル等の家具類の脚端に装着して脚端並びに床面を保護する脚用の接地部材に関する。
【０００２】
【従来の技術】
家具類の脚には脚を保護するため、また床面を保護するため一般に保護用の接地部材が装着される。
この保護のために装着される接地部材は、家具自体の重量の外、椅子の場合には着席者の体重が掛り、また移動の際には床に擦られる等、衝撃を受けることから緩衝機能をもったゴムや合成樹脂を材料に成形されるものが多い。しかし、その形状や構造は脚に取付けられるものであることから脚の構造に従って様々であり多種多様なものが提供されている。
【０００３】
本発明は、この様な中にあって金属パイプ製の脚の様に脚端に空所を有し、この空所に嵌め付けることで装着される嵌め付けタイプの接地部材を提供するものである。
前述のように嵌め付けタイプの接地部材については様々なものがあるが、単一部品からなるもので単に脚端に圧入することで装着するタイプのものが最もシンプルなものとしてある。しかし、脚を安定した状態で支持し、しかも床面に広く接触させて保護する場合、単一部品からなる接地部材は装着姿勢が常に一定となり自由度に欠けることから安定した支持状態を得にくいことがある。
【０００４】
そこで、従来安定した装着状態を得ると同時に、床面に対する接地状態をよくするため脚端に対する装着本体部に接地部を組付け、この接地部の向きの変更を自由にして床面に対して常に安定した接地が得られるようにした少なくとも２つの部材から成る脚用接地部材が提案されている。
この接地部付きの脚用接地部材は、装着本体部に対して接地部を回動自由（首振り自由）に取付けるものにしてあり、これにより床面に傾きがあったり、或は凹凸の歪があったりした場合、当接する面に従って接地部の向きを変えて追随させ、これにより常に安定した接地状態を得て床面が傷付くのを回避している。
【０００５】
しかし、この組合せに係る脚用接地部材の難点は製造の困難さに有り、またコスト高になることである。
この問題の解決方法として従来接地部となる台盤を合成樹脂で成形するに当って、その成形用金型内に装着本体部となる鋼球を予めセットしてこれに溶融した合成樹脂液を充填し、前記台盤の成形と同時に台盤に鋼球をインサートして２つの部材を一体に成形する方法が提案されている（例えば、特許文献１）。
【０００６】
【特許文献１】
特公昭５２ー３２６５７号公報（第１頁特許請求の範囲の項、第２頁左欄第５行目〜第１９行目、図面第１図、第２図。）
【０００７】
しかし、この従来法は金型内に鋼球をいちいちセットしなければならない煩わしさがあり、また鋼球を中心とした台盤の回転を得るため成形に先立って鋼球表面に剥離剤を塗布する等の前処理を必要とするため製造性に欠ける問題がある。更に加えてこの従来のものは合成樹脂の台盤と鋼球が一体化することから廃棄処分する場合には素材の分離作業を要し、その作業が厄介であり、リサイクル処理する際に大きな問題となる。
【０００８】
【発明が解決しようとする問題点】
本発明は、この様な状況に鑑みなされたもので、第１には製造上の課題を改善して製造性を高めると共に、家具等の脚端に対する装着性を改善し、更には安定した状態で脚を支持できるようにした脚用の接地部材を提供しようとするものである。
【０００９】
また本発明は第２の目的として、接地部材を構成する全ての部分を共通の素材として、ことに合成樹脂を素材にして成形することによって、家具そのものを廃棄処分し、或は再利用する等、その使用が終了したとき、接地部材を素材毎に分別する等の処理をすることなく、そのまゝ一括廃棄処理できるようにした家具の脚端等に使用される脚用接地部材を提供しようとするものである。
【００１０】
【課題を解決するための手段】
本発明は上述目的を達成するため、脚端に装着する装着体と、この装着体を介して脚に装着され床面に直接接地する接地部とを別体に形成してそれぞれの成形を容易にする一方、予め装着体には連結凹部を、そして接地部には連結球体を設けるようにしてこの両者を嵌め合せ結合せることによって回転自由に連結してなる接地部材を提供するものである。
【００１１】
そして本発明は、前記連結凹部に接地部の連結球体の組付けを容易にするため、装着体を縦の切り割りによって複数に分割される分割片の集合体から構成し、前記連結凹部の形成を容易にすると共に、この連結凹部の組合せに当って前記連結球体の嵌め入れを行うことにより連結組立の作業を容易にし、製造を容易にしたことにある。
【００１２】
更に、本発明を詳述すれば、その特徴とするところは脚端の空所に嵌合装着される装着体と、この装着体の下端に連結される接地体とからなり、前記装着体は縦の切り割りによって分割される複数の分割片から構成すると共に内部に下端に開口する球腔状の連結凹部を備え、他方前記接地体は床面に当接する接地台とこの接地台の上面に頚部を介して起立する球形状の連結球体を以て構成し、該連結球体を前記装着体の分割片が分解した状態にあるとき前記連結凹部を構成する各分割片の凹部に収めて回転自由に連結組合せ、この状態において該装着体を前記脚端の空所に嵌合装着するようにした脚用接地部材を提供することにある。
【００１３】
また本発明は、前記装着体を構成する複数の分割片は各上端部相互を屈曲自由な連結片によって互いに連結するようにした脚用接地部材を提供することにある。
【００１４】
また本発明は、前記装着体は縦の中心線に沿う１つの切り割りによって分割される２つの分割片の集合体からなる脚用接地部材を提供することにある。
【００１５】
また本発明は、前記装着体を構成する２つの分割片は対称形であることを特徴とした脚用接地部材を提供することにある。
【００１６】
また本発明は、前記装着体を構成する２つの分割片は相互の切り割り面を向い合せにした状態で上端部相互を肉薄の連結片で接続し、該連結片を支点に両分割片を折り曲げ自由にして開放状態にあるとき連結凹部に接地体の連結球体を収めるようにした脚用接地部材を提供することにある。
【００１７】
また更に本発明は、前記装着体には外周面に脚端の空所内壁面に圧接する抜止め防止用の圧接片を設けてなる脚用接地部材を提供することにある。
次に、これらの発明について図示の実施例に基づき詳述し、併せてその他の特徴について説明する。
【００１８】
【発明の実施の形態】
【実施例】
添付する図面は、本発明に係る接地部材の一実施例を示したものである。図１は接地部材の正面図であり、図２は中央縦断右側面図、図３は脚端に装着した使用状態を説明する一部断面とした正面図である。図面において、符号１は装着体を、２は接地体、３は金属パイプ製の脚を示す。
【００１９】
装着体１は、装着する脚３の装着部所となる脚端の空所（ここでは金属製丸パイプ材からなる脚３の脚端に開口する中空部３ａがこの空所である。）に適合した短尺な円柱体形をなしている。この円柱体形をなす装着体１は中央部分に沿って縦に切り込む切り割り４によって２等分され、２つの分割片１ａ，１ａに分けてこの２つの分割片の集合により構成されるようにしてある。
【００２０】
この装着体１の分割は、後述する連結凹部５の形成、並びに接地体２との連結組合せの都合により選択された手段であり、ここでは図４から図１１に詳しく示したように上記２つの分割片１ａ，１ａは全く同一のものにして向かい合った状態において対称形をなし、双方の抱き合せによって装着体１が作られるようにしてある。
【００２１】
ここに示した両分割片１ａ，１ａはナイロン樹脂（尚、材料としてナイロン樹脂の他、多少の弾性と剛性を兼ね備えた熱可塑性の合成樹脂素材が適する。）を材料として射出成形機により一体成形する場合を示している。それぞれは蒲鉾形にして装着体１として上端６となる向い合せの一端部同志を連結片となる肉薄のヒンジ片７で連結し、下端８となる各他端部に脚３に対する嵌め込み時にその差し込み量を規制するための半円弧状をなす鍔９が設けてある。
上記鍔９は分割片が組合って装着体１となったとき連続して１つの環状の鍔を構成することになる。
【００２２】
両分割片１ａ，１ａの縦の切り割り４に臨むそれぞの面１０，１０には下端８側の下半部分に前記連結凹部５を形成する半球腔状の凹部５ａ，５ａが設けられ、更にこの凹部５ａの下端側の一部を半円弧状に切り欠いて上記連結凹部５の底を抜く開口部１１，１１が設けられる。
【００２３】
一方、両分割片１ａ，１ａの外側面となる弧状の面には前記鍔９が設けられる下端側半面部分に周方向に沿って複数の圧接片１２が列設され、他半面部分の平滑面とした面には縦方向の小突条１３が隆設される。
上記圧接片１２及び小突条１３は本発明接地部材を脚端に装着する際に脚３の内周壁面に圧接させて抜け止めとするもので、複数の圧接片１２は連続した状態において縦方向の断面が鋸歯形をなすようにしてある。
【００２４】
図中、１４ａ及び１５ａは２つの分割片１ａ，１ａを分割した面１０，１０を接面させて閉じ合わせたとき位置合せするための突起部であり、１４ｂ，１５ｂはこれらの突起部を受け入れるための凹部である。
更にこれらの突起部と凹部は、両片１ａ，１ａの結合を確実にするため装着体１の上端と下端の２箇所に設けてあり、突起部１４ａ，１５ａはそれぞれの凹部１４ｂ，１５ｂに隙間なく嵌合して両片の一体的結合を可能にしている。
そして、この実施例では突起部１５ａについて断面を十字形に形成して直径方向に弾性を付与してあり、凹部１５ｂに対してやゝ無理に圧入することによって係止力を得て２つの分割片をこの嵌め合せだけで結合させ、装着体１に組立てられるようにしている。
【００２５】
尚、図面において上記各分割片１ａ，１ａの連結凹部５，開口部１１，突起部を受ける凹部１４ｂ，１５ｂ以外の空部は材料を節約するためのものである。
【００２６】
一方、接地体２は前記装着体１と同様にナイロン樹脂を材料に射出成形により成形されるもので、略円盤形をなす接地台１６と、この接地台の上面中央部から頚部１７を介して起立する球状の連結球体１８から構成される。
【００２７】
接地台１６はやゝ肉厚な円盤形に形成して下面中央部に窪み１６ａを設け、接地面を環状に形成して安定化を図っており、連結球体１８はこの窪み１６ａの直上に位置するようにしてある。
【００２８】
連結球体１８は前記装着体１の連結凹部５に嵌合してこの装着体１と接地体２とを連結するためのものであり、球腔状をなす連結凹部５の内形に適合した真球形状に形成して結合した状態において自由に回転できるようにしてある。
【００２９】
そして、上記連結球体１８を接地台１６に繋ぐ頚部１７は前記装着体の下端に開口する開口部１１の口径より小径に形成し、且つ、連結球体１８を連結凹部５に収めた状態において接地台１６の上面が装着体の下面に接触しない長さに形成して装着体１に対して接地体２が連結球体１８を支点にして自由に首振り揺動できるようにしてある。
【００３０】
尚、図面に示す連結球体１８は球面の一部を欠截して真球形を呈していないが、欠落部分は材料の節約によるものであり、実質的に球形が保たれ、且つ強度が損なわれないものであれば、本発明を実施する上で支障を来すものではない。
【００３１】
本発明に係る接地部材は、上述したように装着体１と接地体２を別体にして個別に形成することになる。そして、個別に成形した後、分割片１ａ，１ａ同志を閉じ合せて装着体１を完成させると同時に、各分割片の半球腔状をなす凹部５ａ，５ａに接地体２の連結球体１８を収めて閉じ合せにより上記凹部５ａ，５ａが球腔状に変って連結凹部５となるときこれに閉じ込め、装着体１と接地体２の連結組合せを完成させることになる。
【００３２】
この実施例における分割片１ａ，１ａの閉じ合せは連結片たるヒンジ片７を支点にして折り返し、双方の面１０，１０を接面させることにより行われる。この閉じ合せに伴って小突起１４ａ，１５ａがそれぞれの凹部１４ｂ，１５ｂに嵌り込んで位置を合せると同時に、両者の結合を助けるなり、連結凹部５に連結球体１８を閉じ込めた状態に保つことになる。
【００３３】
尚、分割片１ａ，１ａの結合を維持するため接着剤等で抱き合せ状態に接合させてもよいが、連結球体１８の回転を損なわないようにする上から前述の様に小突起と凹部の嵌め合せの如く係止手段による結合方法が望ましく、またこの方法は射出成形によって係止手段を一体成形できることから製造上も有利である。
【００３４】
かくして、装着体１と接地体２とを組合せたのち、脚３の下端から中空部３ａに向けて装着体１を圧入し、本発明の接地部材の装着を完了することになる。
装着体１は鍔９を脚３の脚端開口部に当接させたところで完了し、周面に列設した圧接片１２，小突条１３を脚の内壁面に圧接させて抜け止めされる。
【００３５】
２つの分割片１ａ，１ａに設けられた鍔９は前述したように分割片が抱き合せになることで環状の鍔となり、また圧接片１２も装着体の周面において連続し環状の圧接片となる。そして連続する圧接片１２の実質的外径を脚３の中空部３ａの内径よりやゝ大きくして装着時に圧接状態を確保するようにする。
勿論、脚３に対する装着体１の装着は上記圧接片１２による摩擦抵抗のみによることなく、接着剤等を使用して止め付けてもよいことは言うまでもない。
【００３６】
この様にして脚端に装着される本発明接地部材は、装着体１を脚端に埋め込んだ状態で取付き、接地体２を露出させることになる。そして、この接地体は連結凹部５に連結球体１８を回転自由に嵌め入れ滑合させていることから、この連結球体１８を支点にして首振り自由に取り付き、接地台１６の向きを自由に変更することができ、従って床面に対して常に接地台の下面を安定的に接面させることになる。
【００３７】
ところで、図示の実施例では装着体１を構成する２つの分割片１ａ，１ａを展開した状態にして両片をヒンジ片７で繋いだ形態で一体に製造する場合につき説明したが、この両片は前述したように全く対称形であることから、一方の分割片のみを製造し、この２つの分割片を組合せて装着体を作ることも可能である。
【００３８】
この様な選択は製造コストの面から行われるが、前者、即ち図示の実施例の場合は成形の金型が大型化する代わりに組立が容易になり、後者の場合は１個の分割片の成形金型となるため小型化する反面、組立がやゝ厄介となるが、いずれの方法も本発明の実施を妨げるものではない。
【００３９】
以上本発明を図面に示す実施例につき説明したが、装着体１を構成する分割片を２個とする場合の外、３個とする場合、４個とする場合のように更に複数個の分割片から構成することが可能である。
【００４０】
複数の分割片の成形は、短尺な円柱体形に形成される装着体１を縦に切り割る切り割り４によって分割される片であればよく、例えば前記１つの分割片１ａをその中央部で更に縦に２分割すれば、他の分割片１ａと合せて３分割されたものとなる。そして更に、この他の分割片１ａについて２分割すれば４つの分割片からなる装着体１が作られることになる。
【００４１】
この場合、前記２つの分割片１ａ，１ａが全く対称であったり、同一形状であったことから装着体１を構成する分割片の全てを同一形状に揃えることもあるが、必ずしもその必要はなく、前記３つの分割片からなる場合のように不揃いであってもよい。
【００４２】
ところで本発明において装着体１を複数の分割片の集合体から構成する理由の１つは球腔状をなす連結凹部５に接地体２の連結球体１８を抜け出すことなく嵌め入れ連結させることにある。つまり、装着体１を分割片とすることによって上記連結凹部５を複数の凹部５ａに分割してその集合作業を通して嵌め入れを容易にしているのである。
【００４３】
そして、複数の分割片から構成する他の理由は、内部において拡大する連結凹部５を備える装着体１の成形を容易にすることにある。つまり、分割片として成形することにより連結凹部５を複数の凹部５ａとして分解し、これを展開した状態において成形することによって成形金型を単純化し製造を容易にしているのである。
【００４４】
装着体１を構成する分割片の最小片数は２つである。また２つとしたとき両分割片は装着体を２等分するもの、つまり、前記図示の実施例において説明した通り縦の切り割り４によって２分される２つの分割片であることが望まれる。
この２等分とする理由は両分割片に各形成される凹部５ａが半球腔状の凹部となって連結球体１８の嵌め込みの妨げとなるのを回避するためである。前記したように３分割片とした場合においてもその１つの分割片が２等分された分割片を超える大きさであると、連結球体１８の嵌め込みの妨げとなる問題を生ずるので成形に当っては考慮することになる。
【００４５】
一方、本発明接地部材の製造に当っては連結凹部５について連結球体１８の半球分以上の部分を抱持滑合できるものであることが望まれる。これによって連結後における連結球体１８の任意脱落を防止できることになる。
また、この連結凹部５の開口部１１はその口径を上記の条件を考慮して定められるが、同時に接地体２の揺動を確保する上から頚部１７の直径より大径であることになる。
【００４６】
【発明の効果】
以上本発明の接地部材につき実施例を基に詳述したが、前記説明において明らかな通り本発明は装着体と接地体とを別体にして個別に形成することにより、これら各部の成形を容易にすることができる。そして、両体の連結手段となる連結球体を装着体の連結凹部にその分割片の組合せを通して容易に嵌め入れ組付けられることから球体を介しての連結組立にもかゝわらず容易に且つ正確に組立て製造できる利点がある。
【００４７】
しかも、本発明における前記装着体，接地体はともに合成樹脂を素材に射出成形によって製造することができることに併せて、接地部材全体を合成樹脂の同一素材とすることができるため廃棄処分する場合、最も困難な材料の分別作業を省くことができ、再利用の際の粉砕処理等に当ってそのまゝ一括処分できる利点がある。
【図面の簡単な説明】
【図１】本発明に係る脚用接地部材の正面図。
【図２】図１における脚用接地部材の中央縦断右側面図。
【図３】脚に装着した状態を示す一部断面とした正面図。
【図４】装着体を構成する分割片を展開した状態の正面図。
【図５】図４の右側面図。
【図６】図４の左側面図。
【図７】図４の中央縦断面図。
【図８】図５のＡ−Ａ線断面図。
【図９】図６のＢ−Ｂ線断面図。
【図１０】図６のＣ−Ｃ線断面図。
【図１１】装着体の展開した状態の斜視図。
【図１２】接地体の正面図。
【図１３】接地体の平面図。
【図１４】接地体の斜視図である。
【符号の説明】
１                装着体
１ａ              分割片
２                接地体
３                脚
３ａ              脚端の空所（中空部）
４                縦の切り割り
５                連結凹部
５ａ              連結部の一部を形成する分割片に形成される凹部
６                装着体の上端部
７                連結片たるヒンジ片
８                装着体の下端部
９                鍔
１０              分割片の縦の切り割りに臨む面
１１              連結凹部の開口部
１２              圧接片
１３              小突条
１４ａ，１５ａ    突起部
１４ｂ，１５ｂ    凹部
１６              接地体の接地台
１７              接地体の頚部
１８              接地体の連結球体
【図１】
2004166890.tif 000003
【図２】
2004166890.tif 000004
【図３】
2004166890.tif 000005
【図４】
2004166890.tif 000006
【図５】
2004166890.tif 000007
【図６】
2004166890.tif 000008
【図７】
2004166890.tif 000009
【図８】
2004166890.tif 000010
【図９】
2004166890.tif 000011
【図１０】
2004166890.tif 000012
【図１１】
2004166890.tif 000013
【図１２】
2004166890.tif 000014
【図１３】
2004166890.tif 000015
【図１４】
2004166890.tif 000016